(57)【特許請求の範囲】
【請求項１】
ヘッドボードとフットボードとをサイドフレームと一側面を開口した箱型収納ケースで連結し、サイドフレームと箱型収納ケース間に床板を載置して矩形状のベッド基台を構成し、上記の箱型収納ケース内にベッド基台の側面方向に出し入れする引き出しを設け、ベッド基台上面にマットレスを載置したベッド装置において、箱型収納ケースの開口側天板の側端部にベッド基台の長手方向に沿いベッド基台上面を拡幅するようにした面棒を設け、引き出しの装飾板上端部にベッド基台の長手方向に沿って上記した面棒に対向した位置で長尺な取っ手を設けたことを特徴とするベッド装置。
【請求項２】
ヘッドボードとフットボードとをサイドフレームと一側面を開口した箱型収納ケースで連結し、サイドフレームと箱型収納ケース間に床板を載置して矩形状のベッド基台を構成し、上記の箱型収納ケース内にベッド基台の側面方向に出し入れする引き出しを設け、ベッド基台上面にマットレスを載置したベッド装置において、箱型収納ケースの開口側天板の側端部にベッド基台の長手方向に沿いベッド基台上面を拡幅するようにした面棒を設け、この面棒の外側端とサイドフレームの外側端間の幅寸法を載置されるマットレスの幅寸法よりも大きく設定すると共に、引き出しの装飾板上端部にベッド基台の長手方向に沿って上記した面棒に対向した位置で長尺な取っ手を設けたことを特徴とするベッド装置。
【請求項３】
ヘッドボードとフットボードとをサイドフレームと一側面を開口した箱型収納ケースで連結し、サイドフレームと箱型収納ケース間に床板を載置して矩形状のベッド基台を構成し、上記の箱型収納ケース内にベッド基台の側面方向に出し入れする引き出しを設け、ベッド基台上面にマットレスを載置したベッド装置において、箱型収納ケースの開口側天板の側端部にベッド基台の長手方向に沿いベッド基台上面を拡幅するようにした第１の面棒を設け、サイドフレームの外側面上部にベッド基台の長手方向に沿い第１の面棒と同じくベッド基台上面を拡幅するようにした第２の面棒を設け、フットボードの外側面上部にベッド基台の幅方向に沿い、第１及び第２の面棒と面一にして第３の面棒を設け、第１面棒の外側端と第２面棒の外側端間の幅寸法を載置されるマットレスの幅寸法よりも大きく設定すると共に、引き出しの装飾板上端部にベッド基台の長手方向に沿い第１の面棒に対向した位置で裏面側に連続した溝を有する長尺な取っ手を設けたことを特徴とするベッド装置。
【発明の詳細な説明】
【０００１】
【発明の属する技術分野】
この発明は、ベッド基台の内部空間に引き出しを出し入れするようにしたベッド装置に関する。
【０００２】
【従来の技術】
従来、ベッド基台の内部空間に引き出しを出し入れするようにしたベッドとして，第７図乃至第９図に示す箱型収納ケースに引き出しを挿脱自在に収納されたものが知られている。
【０００３】
この従来ベッドの基台１は、ヘッドボード２とフットボード３を箱型収納ケース４とサイドフレーム５で連結してなり、箱型収納ケース４には引き出し６が収納されている。
【０００４】
箱型収納ケース４は、天板４ａと下板４ｂと三側面の側板４ｃとで一面を開口した箱型で内部を仕切り板４ｄで仕切っており、内部に引き出し６を挿脱自在に設けている。他面側には長手方向に受け桟４ｅが固定されており、サイドフレーム５の内側面にも受け桟５ａが固定されており、受け桟４ｅと受け桟５ａ上には床板７が横架され、箱型収納ケース４と床板７の上面にマットレス８が載置されているものである。
【０００５】
引き出し６は、前枠６ａと左右側面の側枠６ｂと後枠６ｃ、四側面の枠６ａと底板６ｄにより箱状に作られており、前枠６ａには装飾板６ｅが固定されており、化粧板６ｅの下端に長手方向に沿って利用者の指を挿入できる溝６ｆを設けて取っ手６ｇを形成している。
【０００６】
ベッド基台１の上面にはマットレス８が載置されこのマットレス８をシーツ９や図示しないベッドカバーで覆っている。
シーツやベッドカバーをマットレスに被せてベッドを整える、いわゆるベッドメーキングの際にはマットレスをシーツ９で被覆し、その周囲縁部をマットレス８と床板７又は天板４ａの間に挟み込んで行なう。
【０００７】
このような構成によるベッドは、引き出し６の装飾板６ｅの上部側端は箱型収納ケース４の天板４ａの側面に当たっているから、引き出し６が収納ケース４から出されて装飾板６ｅの上部が天板４ａの側面との間に隙間がある状態では、ベッドメーキングするときにおいて、第９図に示すようにシーツ９の端部が垂れ下がって引き出し６内部に落ち込む傾向があって作業がしずらいものであった。また引き出し６を出し入れする取っ手６ｇは装飾板６ｅの下側に位置するから、利用者がかがんで無理な姿勢で出し入れしなければならないので、利用者の腰部に負担となり操作性の悪いものであった。
【０００８】
【発明が解決しようとする課題】
この発明は、ベッドメーキングをするときにシーツやベッドカバーが垂れ下がって引き出しの収容部内に巻き込まれないようにして、かつ引き出しの操作性を容易にしようとするベッド装置を提供することにある。
【０００９】
【課題を解決するための手段】
請求項１の発明は、ヘッドボードとフットボードとをサイドフレームと一側面を開口した箱型収納ケースで連結し、サイドフレームと箱型収納ケース間に床板を載置して矩形状のベッド基台を構成し、上記の箱型収納ケース内にベッド基台の側面方向に出し入れする引き出しを設け、ベッド基台上面にマットレスを載置したベッド装置において、箱型収納ケースの開口側天板の側端部にベッド基台の長手方向に沿いベッド基台上面を拡幅するようにした面棒を設け、引き出しの装飾板上端部にベッド基台の長手方向に沿って上記した面棒に対向した位置で長尺な取っ手を設けたことを特徴とするベッド装置にある。
【００１０】
請求項２の発明は、ヘッドボードとフットボードとをサイドフレームと一側面を開口した箱型収納ケースで連結し、サイドフレームと箱型収納ケース間に床板を載置して矩形状のベッド基台を構成し、上記の箱型収納ケース内にベッド基台の側面方向に出し入れする引き出しを設け、ベッド基台上面にマットレスを載置したベッド装置において、箱型収納ケース開口側の天板の側端部にベッド基台の長手方向に沿いベッド基台上面を拡幅するようにした面棒を設け、この面棒の外側端とサイドフレームの外側端間の幅寸法を載置されるマットレスの幅寸法よりも大きく設定すると共に、引き出しの装飾板上端部にベッド基台の長手方向に沿い上記面棒に対向した位置で長尺な取っ手を設けたことを特徴とするベッド装置にある。
【００１１】
請求項３の発明は、ヘッドボードとフットボードとをサイドフレームと一側面を開口した箱型収納ケースで連結し、サイドフレームと箱型収納ケース間に床板を載置して矩形状のベッド基台を構成し、上記の箱型収納ケース内にベッド基台の側面方向に出し入れする引き出しを設け、ベッド基台上面にマットレスを載置したベッド装置において、箱型収納ケース開口側の天板の側端部にベッド基台の長手方向に沿いベッド基台上面を拡幅するようにした第１の面棒を設け、サイドフレームの外側面上部にベッド基台の長手方向に沿い第１の面棒と同じくベッド基台上面を拡幅するようにした第２の面棒を設け、フットボードの外側面上部にベッド基台の幅方向に沿い、第１及び第２の面棒と面一にした第３の面棒を設け、第の１面棒の外側端と第２面棒の外側端間の幅寸法を載置されるマットレスの幅寸法よりも大きく設定すると共に、引き出しの装飾板上端部にベッド基台の長手方向に沿い第１面棒に対向した位置で裏面側に連続した溝を有する長尺な取っ手を設けたことを特徴とするベッド装置にある。
【００１２】
請求項１の発明によれば、シーツやベッドカバーがマットレス側端から垂れ下がっていても，垂れ下がったその縁部はベッド基台上面を拡幅するようにした面棒の面上で、それよりも下方に落ちないように止められて面棒の位置より下方に落ちることがない。従って、引き出しが出されている状態でもシーツの側縁が引き出しに巻き込まれることがないからベッドメーキングの作業に支障がない。また引き出しの装飾板上端部に長手方向に沿い第１の面棒に対向して取っ手を設けた、すなわちベッドの高さでは比較的に高い位置に取っ手があるので、利用者は引き出しを出し入れする作業は、腰を極端にかがめることなく、あるいは利用者はマットレス上に横臥している状態でも手を伸ばして楽な姿勢で操作することができる。
【００１３】
請求項２の発明によれば、第１面棒の外側端と第２面棒の外側端間の幅寸法を載置されるマットレスの幅寸法も大きく設定したことにより、請求項１による発明の効果よりも更に効果的にシーツやベッドカバーの垂れ下がった縁部を面棒の面上より下方に落ちることがない。従って、引き出しが出されている状態でもシーツの側縁が引き出しに巻き込まれることがないからベッドメーキングの作業に支障がない。また引き出しの装飾板上端部に長手方向に沿い第１の面棒に対向して取っ手を設けた、すなわちベッドの高さでは比較的に高い位置に取っ手があるので、利用者は引き出しを出し入れする作業は、腰を極端にかがめることなく、あるいは利用者はマットレス上に横臥している状態でも手を伸ばして楽な姿勢で操作することができる。
【００１４】
請求項３の発明によれば、箱型収納ケースの開口側天板の側端部に設けた第１の面棒とサイドフレームの外側面上部に設けた第２の面棒とフットボードの外側面上部に設けた第３の面棒とはその上部表面を面一に揃え、取っ手の裏面側に連続した溝を有したので、請求項２の発明による効果に加えてベッド外観意匠を良好にすることができる。
【００１５】
【発明の実施の形態】
以下、この発明の実施の形態を第１図乃至第４図を参照して説明する。
【００１６】
図１はこの発明の一実施の形態に係るベッド装置を示し、このベッド装置は基台２１を備えている。この基台２１は、ヘッドボード２２とフットボード２３を箱型収納ケース２４とサイドフレーム２５で連結されていると共に、箱型収納ケース２４とサイドフレーム間には床板２７が架け渡されており、箱型収納ケース２４には引き出し２６が挿脱自在に収納されている。
【００１７】
箱型収納ケース２４の上部側端部にはベッド基台２１の長手方向に沿い、かつ基台２１の上面の幅を広くするように第１の面棒２４Ｍが設けられ、サイドフレーム２５の上部側端部にはベッド基台２１の長手方向に沿って同じく基台２１の上面の幅を広くするよう第２の面棒２５Ｍが設けられ、フットボード２３の上部側端にはベッド基台の幅方向に沿いベッド基台２１の上面を長手方向に幅を広げるようにした第３の面棒２３Ｍが面棒２４Ｍと２５Ｍとでその上面をほぼ面−にし互いに接触する角部では面棒の外観形状が連続するように設けてある。
【００１８】
箱型収納ケース２４は天板２４ａと下板２４ｂと三側面の側板２４ｃとで一側面を開口した箱型で内部を仕切り板２４ｄで仕切っており、天板２４ａの側面部には第１の面棒２４Ｍが長手方向に沿って設けている。ヘットボード２２側及びフットボード２３側の側板２４ｃには貫通孔２４ｅがある。
【００１９】
箱型収納ケース２４の内部空間は仕切り板２４ｄで仕切ってあるが、この仕切り板２４ｄの側面にはスライド金具２４ｆが固定されており、引き出し２６の側面に固定されたスライド金具２６ｈと共に引き出し２６を出し入れ自在にしている。
【００２０】
引き出し２６は、前枠２６ａと左右側面の側枠２６ｂと後枠２６ｃ、底板２６ｄにより箱体に作られており、前枠２６ａには装飾板２６ｅがネジどめされて固定されており、この装飾板２６ｅの上端部には長手方向に沿って取っ手２６ｇが設けてある。
【００２１】
引き出し２６の装飾板２６ｅの上端部には取っ手２６ｇが上記第１の面棒２４Ｍに対向し、かつ互いの外側端がほぼ同一位置になるように配置しており、第１の面棒２４Ｍと取っ手２６ｇを合わせた外観形状と、第２，第３の面棒２３Ｍ，２５Ｍの外観形状をほぼ同一に設定し、第１面棒２４Ｍと取っ手２６ｇによる隙間Ｓ１に合わせて第２，第３の面棒２３Ｍ，２５Ｍの上下方向の中央に穿設した溝Ｓ２が連続するように一致させ、各面棒の表面を面一にして揃えることによって、ベッドの周囲側縁の外観意匠を良好にしている。
【００２２】
取っ手２６ｇは、引き出し２６の装飾板２６ｅの長手方向全長にわたり長尺な寸法で設けられ、箱型収納ケース２４の天板２４ａ側端部に設けた第１の面棒２４Ｍとほぼ同一の幅寸法を有して対向しており、裏面側に溝部２６ｆを設け、この溝部２６ｆは利用者の指を挿入できる大きさで、挿入位置を限定されないように取っ手２６ｇの全長に連続して設けられている。
【００２３】
箱型収納ケース２４の閉塞面側の側板２４ｃの外側面上部には長手方向に沿って受け桟２４ｇを固定し、サイドフレーム２５には長手方向に沿って受け桟２５ｂを固定しており、床板２７が受け桟２４ｇと２５ｂ間に載置される。
【００２４】
箱型収納ケース２４と床板２７の上面にマットレス２８が載置されるが、第１の面棒２４Ｍと第２の面棒２５Ｍ間の外側幅寸法Ｗ１はマットレス幅Ｗ２よりも大きい寸法に設定されている。
【００２５】
サイドフレーム２５の長手方向両端には取り付け金具２５ａが固定されており、サイドフレーム２５とヘッドボード２２とフットボード２３とをボルトによって連結して、ヘッドボード２２及びフットボード２３には、箱型収納ケース２４の貫通孔２４ｆに対応してボルトを通して連結するナットが埋めこまれており、これらを連結して矩形状にベッド基台２１が構成されることになる。
【００２６】
上記構成のベッド装置によれば、ベッドメーキングの際に引き出し２６がベッド基台２１よりも外側に出されている状態でもシーツ２９の側縁部が第１の面棒２４Ｍの面上にあって，この面棒２４Ｍよりも下方に垂れ下がることがないので引き出し２６の箱体内部に落ち込んで装飾板２６ｅと箱型収納ケース２４の開口面で挟まれるようなことがないのでベッドメーキングの作業は円滑にできることになる。
【００２７】
また、引き出し２６の取っ手２６ｇは装飾板２６ｅの上部において、ベッド基台２１の長手方向に沿って設けられているから、取っ手２６ｇが引き出しの下方にあるものに比較して引き出しの操作は，利用者がかがんで行なうことが少なく、樂な姿勢で操作できる利点を有する。
【００２８】
取っ手２６ｇの裏面側には指を挿入するために取っ手２６ｇの全長にわたり溝２６ｆが設けてあるので、引き出し２６の出し入れの操作位置を限定されることなく、また溝２６ｆは裏面にあるのでベッド外観意匠を良好にする効果がある。
【００２９】
第５図と第６図に図示したベッド装置は第２の実施例で、このベッド装置は第１の実施例と同じくヘッドボード３２とフットボード３３とを箱型収納ケース３４とサイドフレーム３５で連結して矩形状のベッド基台３１としたものである。
【００３０】
この実施例は、サイドフレーム３５及びフットボード３３に面棒を設けていないが、箱型収納ケース３４を構成する天板３４ａの側端面部に面棒３４Ｍを設け，引き出し３６の装飾板３６ｅの上部に面棒３４Ｍに対向して長尺の取っ手３６ｇを設けている。
【００３１】
この実施例の場合、面棒３４Ｍの外側面とサイドフレーム３５の外側面との幅寸法は載置されるマットレス３８の幅寸法よりも大きく設定しており、ベッドメーキングの際にマットレスに被覆するシーツが引き出し３６内部に垂れ下がることはない。
【００３２】
上記の実施例において、引き出しは、前枠と側枠と後枠及び底板とで箱状に構成して、前枠の前面に装飾板をネジ止めで固定したが、これは製造上の都合で、装飾板の色柄を他の構成部分と一致させる必要から装飾板を採用するのであって、前枠を省略して、装飾板と側枠、後枠、底板のみで箱体を構成してもよく、又は装飾板を省略して、前枠と側枠、後枠、底板のみでもよく、この場合は前枠上端部に取っ手を設けることになる。
【００３３】
取っ手２６ｇは前枠２６ａの前面に固定した装飾板２６ｅの上端部に設けて実施例を説明しているが、前枠上端部に取っ手を設ける構成でも発明の作用効果を変更するものではなく、発明の要旨を逸脱するものではないので請求範囲記載の、「引き出しの装飾板上端部にベッド基台の長手方向に沿って上記した面棒に対向した位置で長尺な取っ手を設けた」とあるのは「引き出しの前枠上端部にベッド基台の長手方向に沿って上記した面棒に対向した位置で長尺な取っ手を設けた」と同じ趣旨である。
【００３４】
【発明の効果】
以上のように、この発明によれば、ベッド基台を構成する箱型収納ケースの開口側天板の側端部にベッド基台の長手方向に沿いベッド基台上面が拡幅するようにした面棒を設け、引き出しの装飾板上端部にベッド基台の長手方向に沿い第１の面棒に対向した位置で取っ手を設けるようにした。
【００３５】
そのため、ベッドメーキングの際にマットレスを被覆するシーツやベッドカバーの縁部が面棒上にあってそれより下方に落下することがないから、引き出しと箱型収納ケースとの間で挟まれたり、引き出し内に巻きこまれることがなく、ベッドメーキング
の作業を邪魔することがない
【００３６】
この面棒の外側端とサイドフレームの外側端間の幅寸法を載置されるマットレスの幅寸法よりも大きく設定したものにおいては、さらに効果的にシーツやベッドカバーの縁部が下方に落下することが防止され、引き出し内に巻きこまれることがなくベッドメーキングの操作が容易になる。
【００３７】
箱型収納ケースの開口側天板の側端部に設けた第１の面棒とサイドフレームの外側面上部に設けた第２の面棒とフットボードの外側面上部に設けた第３の面棒とを、その上部表面を面一に揃え、取っ手２６ｇの操作用の溝２６ｇは裏面側に連続してあるので、操作性が良くなると共に前記の効果に加えてベッド外観意匠を良好にすることができる。
【図面の簡単な説明】
【図１】この発明の一実施の形態に係るベッド装置の斜視図
【図２】図１記載のベッド装置の分解斜視図
【図３】図１のＸ−Ｘ方向に見た断面図
【図４】図３の部分拡大図
【図５】この発明の他の実施形態に係るベッド装置の斜視図
【図６】図５記載のベッド装置の分解斜視図
【図７】従来のベッド装置の斜視図
【図８】図７のＹ−Ｙ方向に見た断面図
【図９】図８の部分拡大図
【符号の説明】
１、２１、３１：ベッド基台
２、２２、３２：ヘッドボード
３、２３、３３：フットボード
４、２４、３４：箱型収納ケース
５、２５、３５：サイドフレーム
６、２６、３６：引き出し
６ｇ、２６ｇ、３６ｇ：取っ手
７、２７，３７：床板
８、２８、３８：マットレス
９、２９、３９：シーツ
２３Ｍ：第２の面棒
２４Ｍ：第１の面棒
２５Ｍ：第３の面棒
【図１】
0003681057.tif 000002
【図２】
0003681057.tif 000003
【図３】
0003681057.tif 000004
【図４】
0003681057.tif 000005
【図５】
0003681057.tif 000006
【図６】
0003681057.tif 000007
【図７】
0003681057.tif 000008
【図８】
0003681057.tif 000009
【図９】
0003681057.tif 000010